(57)【特許請求の範囲】
【請求項１】
撮像素子により取得される被写体像の所定の領域に対応する検波領域に基づく検波を制御する検波制御部と、
撮影レンズに関するレンズ情報に基づいて、画面に表示される前記被写体像を補正する画像補正部と、
前記検波領域及び前記レンズ情報に基づいて、前記検波領域を示す検波領域表示を前記画面上の所定の位置に表示させる表示制御部と
を具備し、
前記表示制御部は、前記レンズ情報に基づいて、前記検波領域表示の表示位置の補正の要否を判定する
撮像制御装置。
【請求項２】
請求項１に記載の撮像制御装置であって、
前記表示制御部は、前記検波領域に対応する前記被写体像の領域に合焦したときに、前記画面に前記検波領域表示を表示させる
撮像制御装置。
【請求項３】
請求項１又は２に記載の撮像制御装置であって、
前記検波領域は、複数の検波領域を含み、
前記検波制御部は、前記複数の検波領域の中から選択された検波領域に基づく検波を制御する
撮像制御装置。
【請求項４】
請求項３に記載の撮像制御装置であって、
前記検波制御部は、前記レンズ情報に基づいて、選択された検波領域の補正の要否を判定する
撮像制御装置。
【請求項５】
請求項１〜４のいずれか１つに記載の撮像制御装置であって、
前記レンズ情報は、前記撮影レンズの歪情報を含み、
前記画像補正部は、前記歪情報に基づいて、前記被写体像の歪曲収差を補正する
撮像制御装置。
【請求項６】
請求項１〜５のいずれか１つに記載の撮像制御装置であって、
前記レンズ情報は、前記撮影レンズから取得される
撮像制御装置。
【請求項７】
請求項１〜６のいずれか１つに記載の撮像制御装置であって、
前記検波制御部により制御され、前記検波領域に基づく検波処理を実行する検波部をさらに具備する
【請求項８】
請求項７に記載の撮像制御装置であって、
前記検波制御部は、前記検波部に前記検波領域に対応する前記被写体像の領域の合焦位置を検出させる
撮像制御装置。
【請求項９】
請求項７又は８に記載の撮像制御装置であって、
前記検波制御部は、前記検波部に前記検波領域に対応する前記被写体像の領域の露光量を検出させる
撮像制御装置。
【請求項１０】
請求項１〜９のいずれか１つに記載の撮像制御装置であって、
前記レンズ情報を取得する取得部をさらに具備する
撮像制御装置。
【請求項１１】
撮影レンズを有する撮影光学系と、
撮影光学系により結像された被写体像を取得する撮像素子と、
前記撮像素子により取得される被写体像の所定の領域に対応する検波領域に基づいて検波を制御させる検波制御部と、
前記撮影レンズに関するレンズ情報に基づいて、前記撮像素子により取得された被写体像を補正する画像補正部と、
前記画像補正部により補正された被写体像と、前記検波領域を示す検波領域表示とを表示する画面を有する表示部と、
前記検波領域及び前記レンズ情報に基づいて、前記検波領域表示を前記画面上の所定の位置に表示させる表示制御部と
を具備し、
前記表示制御部は、前記レンズ情報に基づいて、前記検波領域表示の表示位置の補正の要否を判定する
撮像装置。
【請求項１２】
請求項１１に記載の撮像装置であって、
前記撮像素子は、前記撮影レンズの瞳分割を行う複数の位相差検出画素を有する
撮像装置。
【請求項１３】
請求項１１又は１２に記載の撮像装置であって、
前記検波領域は、複数の検波領域を含み、
前記表示部は、前記複数の検波領域を示す複数の検波領域表示のうちいずれかの検波領域表示に対する選択操作を検出するタッチセンサをさらに有する
撮像装置。
【請求項１４】
撮像素子により取得される被写体像の所定の領域に対応する検波領域に基づいて検波を制御し、
撮影レンズに関するレンズ情報に基づいて、画面に表示される前記被写体像を補正し、
前記検波領域及び前記レンズ情報に基づいて、前記検波領域を示す検波領域表示を前記画面上の所定の位置に表示させ、
前記レンズ情報に基づいて、前記検波領域表示の表示位置の補正の要否を判定する
撮像制御方法。
【発明の詳細な説明】
【技術分野】
【０００１】
本技術は、オートフォーカス機能およびその表示制御を実行する撮像制御装置、撮像装置および撮像制御方法に関する。
【背景技術】
【０００２】
近年、例えばデジタルカメラ等の電子機器は、典型的には、撮影時にピントを合わせたり、構図を決めたりするために、撮影画像を表示するモニタを備えている。また最近では、ユーザが被写体のピントをより容易に合わせることができるようにモニタに測距枠を表示し、合焦した測距枠の色を変えたり、合焦した測距枠だけを表示したりすることがなされている。【０００３】
例えば特許文献１には、撮影画像の合焦枠の撮影時に近接合焦領域を有する画像をＬＣＤに優先的に拡大表示することで、撮影画像のより合焦したポイントをユーザに表示することを可能とした撮像装置が記載されている。
【先行技術文献】
【特許文献】
【０００４】
【特許文献１】特開２００５−２９５４１８号公報
【発明の概要】
【発明が解決しようとする課題】
【０００５】
例えば、撮像レンズに歪曲収差があると、モニタに表示された被写体像と測距枠との相対位置関係にずれが生じる場合がある。その結果、ユーザが意図する所定のエリアでの被写体の適正な合焦制御が行えないことがある。【０００６】
以上のような事情に鑑み、本技術の目的は、合焦制御等の適正な撮像制御を実現することが可能な撮像制御装置、撮像装置および撮像制御方法を提供することにある。
【課題を解決するための手段】
【０００７】
本技術の一形態に係る撮像制御装置は、検波制御部と、画像補正部と、表示制御部とを具備する。
上記検波制御部は、撮像素子により取得される被写体像の所定の領域に対応する検波領域に基づく検波を制御する。
上記画像補正部は、撮影レンズに関するレンズ情報に基づいて、画面に表示される上記被写体像を補正する。
上記表示制御部は、上記検波領域及び上記レンズ情報に基づいて、上記検波領域を示す検波領域表示を上記画面上の所定の位置に表示させる。【０００８】
上記撮像制御装置は、検波領域及びレンズ情報に基づいて、検波領域を示す検波領域表示を画面上の所定の位置に表示させる表示制御部を備える。これにより、画面上の被写体像に検波領域表示を対応させて表示することが可能となるため、例えば、ユーザの意図する合焦制御を実現することができる。【０００９】
上記検波領域表示には、典型的には、自動合焦（ＡＦ：Auto Focus）領域を表示する測距枠、自動露出（ＡＥ：Auto Exposure）領域を表示する表示枠等が含まれる。【００１０】
上記表示制御部は、上記レンズ情報に基づいて、上記検波領域表示の表示位置の補正の要否を判定するように構成されてもよい。
補正が必要なときのみ表示位置を補正するように構成することで、表示処理の効率化を図ることができる。【００１１】
上記表示制御部は、上記検波領域に対応する上記被写体像の領域に合焦したときに、上記画面に上記検波領域表示を表示させるように構成されてもよい。
これにより、ユーザへ合焦位置を表示させることができる。
【００１２】
上記検波領域は、複数の検波領域を含んでもよい。上記検波制御部は、上記複数の検波領域の中から選択された検波領域に基づく検波を制御するように構成されてもよい。
これにより、例えば、ユーザが意図する検波領域での被写体の合焦制御を実現することができる。【００１３】
この場合、検波制御部は、上記レンズ情報に基づいて、選択された検波領域の補正の要否を判定するように構成されてもよい。
これにより歪曲収差に起因する検波領域の位置ずれを抑制することができる。【００１４】
上記レンズ情報は、典型的には、撮影レンズの歪情報を含む。画像補正部は、上記歪情報に基づいて、上記被写体像の歪曲収差を補正するように構成される。【００１５】
上記レンズ情報は、上記撮影レンズから取得されてもよい。【００１６】
上記検波制御部は、典型的には、上記検波領域に対応する上記被写体像の領域の合焦位置を検出させる。これに限られず、上記検波制御部は、上記検波領域に対応する上記被写体像の領域の露光量を検出させてもよい。【００１７】
上記撮像制御装置は、上記レンズ情報を取得する取得部をさらに具備してもよい。【００１８】
上記撮像制御装置は、上記検波制御部により制御される検波部をさらに具備してもよい。上記検波部は、上記検波領域に基づく検波処理を実行する。【００１９】
本技術の一形態に係る撮像装置は、撮影光学系と、撮像素子と、検波制御部と、画像補正部と、表示部と、表示制御部とを具備する。
上記撮影光学系は、撮影レンズを有する。
上記撮像素子は、撮影光学系により結像された被写体像を取得する。
上記検波制御部は、上記撮像素子により取得される被写体像の所定の領域に対応する検波領域に基づく検波を制御する。
上記画像補正部は、上記撮影レンズに関するレンズ情報に基づいて、上記撮像素子により取得された被写体像を補正する。
上記表示部は、上記画像補正部により補正された被写体像と、上記検波領域を示す検波領域表示とを表示する画面を有する。
上記表示制御部は、上記検波領域及び上記レンズ情報に基づいて、上記検波領域表示を上記画面上の所定の位置に表示させる。【００２０】
上記撮像素子は、上記撮影レンズの瞳分割を行う複数の位相差検出画素を有してもよい。これにより高速なオートフォーカス制御を実現することができる。また、補正された被写体像に基づいて検波制御を実行する場合と比較して、検波に必要な計算負荷を低減できるとともに、検波処理に要する時間を短くすることができる。【００２１】
上記検波領域は、複数の検波領域を含んでもよい。上記表示部は、上記複数の検波領域を示す複数の検波領域表示のうちいずれかの検波領域表示に対する選択操作を検出するタッチセンサをさらに有してもよい。【００２２】
本技術の一形態に係る撮像制御方法は、撮像素子により取得される被写体像の所定の領域に対応する検波領域に基づく検波を制御することを含む。
撮影レンズに関するレンズ情報に基づいて、画面に表示される上記被写体像が補正される。
上記検波領域及び上記レンズ情報に基づいて、上記検波領域を示す検波領域表示が上記画面上の所定の位置に表示される。
【発明の効果】
【００２３】
以上のように、本技術によれば、例えば合焦制御等の適正な撮像制御を実現することができる。
なお、ここに記載された効果は必ずしも限定されるものではなく、本開示中に記載されたいずれかの効果であってもよい。
【図面の簡単な説明】
【００２４】
【図１】本実施形態に係る撮像装置の全体構成を示すブロック図である。
【図２】上記撮像素子における撮像素子の通常画素および位相差検出画素の配列の一例を示す模式図である。
【図３】画像の歪曲収差を説明する模式図である。
【図４】歪曲収差の補正方法を説明する模式図である。
【図５】画面上への検波領域の表示例を示す模式図である。
【図６】撮像制御装置の一動作例を説明するフローチャートである。
【図７】撮像制御装置による検波領域の表示制御例を説明する模式図である。
【図８】撮像制御装置の他の動作例を説明するフローチャートである。
【図９】撮像制御装置による検波領域の表示制御例を説明する模式図である。
【発明を実施するための形態】
【００２５】
以下、本技術に係る実施形態を、図面を参照しながら説明する。
【００２６】
［撮像装置および撮像制御装置］
図１は、本実施形態に係る撮像装置１００の全体構成を示すブロック図である。
【００２７】
撮像装置１００は、光学撮像系１０１、撮像素子１０２、前処理回路１０３、カメラ処理回路１０４、画像メモリ１０５、制御部１０６、グラフィックＩ／Ｆ（Interface）１０７、表示部１０８、入力部１０９およびＲ／Ｗ（リーダ／ライタ）１１０を備える。制御部１０６は、撮像制御装置１５０として機能する。
【００２８】
光学撮像系１０１は、被写体からの光を撮像素子１０２に集光するための撮影レンズ１０１Ａ、撮影レンズ１０１Ａを移動させてフォーカス合わせやズーミングを行うための駆動機構、シャッタ機構、アイリス機構などを備える。これらは制御部１０６からの制御信号に基づいて駆動される。光学撮像系１０１を介して得られた被写体の光画像は、撮像デバイスとしての撮像素子１０２上に結像される。
【００２９】
撮像素子１０２は、通常の撮像画素であるＲ（Red）画素、Ｇ（Green）画素、Ｂ（Blue）画素と、位相差検出用の位相差検出画素とを有する。撮像素子１０２を構成する各画素は被写体からの入射光を光電変換して電荷量に変換して、画素信号を出力する。そして、撮像素子１０２は、最終的に画素信号からなる撮像信号を前処理回路１０３に出力する。撮像素子１０２としては、ＣＣＤ（Charge Coupled Device）、ＣＭＯＳ（Complementary Metal Oxide Semiconductor）などが用いられる。
【００３０】
図２は、撮像素子１０２における通常画素および位相差検出画素の配列の一例を示す模式図である。図２において、ＲはＲ（Red）画素、ＧはＧ（Green）画素、ＢはＢ（Blue）画素であり、それぞれ通常の撮像画素を示している。また図２において、Ｐ１は第１の位相差検出画素、Ｐ２は第２の位相差検出画素をそれぞれ示している。
【００３１】
位相差検出画素は、Ｐ１とＰ２とで一対となる構成となっており、撮影レンズ１０１Ａの瞳分割を行う。位相差検出画素Ｐ１，Ｐ２は通常の撮像画素とは光学特性が異なるものである。なお、図２においては、Ｇ画素の一部を位相差検出画素としている。これは、Ｇ画素がＲ画素およびＢ画素に比べて倍の数存在しているためである。ただし、位相差検出画素は、Ｇ画素に限られるものではない。
【００３２】
撮像素子１０２は、通常画素Ｒ，Ｇ，Ｂに加え、撮影レンズ１０１Ａの瞳分割を行う複数の位相差検出画素Ｐ１，Ｐ２を有している。撮像装置１００は、複数の位相差検出画素Ｐ１，Ｐ２からの出力により、いわゆる像面位相差ＡＦ（Auto Focus）を行うように構成される。
【００３３】
前処理回路１０３は、撮像素子１０２から出力された撮像信号に対して、ＣＤＳ（Correlated Double Sampling）処理によりＳ／Ｎ（Signal／Noise）を良好に保つようにサンプルホールドなどを行う。さらに、ＡＧＣ（Auto Gain Control）処理により利得を制御し、Ａ／Ｄ（Analog／Digital）変換を行ってデジタル画像信号を出力する。
【００３４】
カメラ処理回路１０４は、前処理回路１０３からの画像信号に対して、ホワイトバランス調整処理や色補正処理、ガンマ補正処理、Ｙ／Ｃ変換処理、ＡＥ（Auto Exposure）処理などの信号処理を施す。
【００３５】
画像メモリ１０５は、揮発性メモリ、例えば、ＤＲＡＭ（Dynamic Random Access Memory）で構成されるバッファメモリであり、前処理回路１０３およびカメラ処理回路１０４によって所定の処理が施された画像データを一時的に蓄える。
【００３６】
制御部１０６は、例えば、ＣＰＵ、ＲＡＭおよびＲＯＭなどから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従って様々な処理を実行することによって、撮像装置１００全体の制御を行う。
【００３７】
また、制御部１０６は、所定のプログラムを実行することにより、撮像制御装置１５０として機能する。ただし、撮像制御装置１５０は、プログラムによって実現されるのみでなく、撮像制御装置としての機能を有するハードウェアによる専用の装置として実現されてもよい。この場合は、撮像装置１００がそのハードウェアとしての撮像制御装置を備える。
【００３８】
撮像制御装置１５０は、取得部１５１と、検波部１５２と、検波制御部１５３と、画像補正部１５４と、表示制御部１５５とを有する。
なお、取得部１５１および検波部１５２は、撮像制御装置１５０の一部として構成される場合に限られず、撮像制御装置とは独立して構成されてもよい。
【００３９】
取得部１５１は、検波部１５２による焦点調整に必要な制御パラメータや、画像補正部１５４による被写体像の歪曲収差補正などに必要な補正値を取得するように構成される。
【００４０】
取得部１５１は、レンズ情報および位相差信号を取得する。レンズ情報には、撮影レンズ１０１Ａに関するレンズ情報、すなわち、撮影レンズ１０１Ａにおけるズーム（焦点距離）、フォーカス（撮影距離）、絞り（Ｆ値）のほか、歪曲収差量などの歪情報が含まれる。取得部１５１は、レンズ情報を、撮影レンズ１０１Ａを管理するマイコン（図示せず）などから取得し、位相差信号を、位相差検出画素Ｐ１，Ｐ２を有する撮像素子１０２から取得する。
【００４１】
取得部１５１によって取得されたレンズ情報、位相差信号などは、撮像制御装置１５０として機能する制御部１０６のＲＯＭに格納されてもよいし、別個の記憶媒体に格納されてもよい。
【００４２】
検波部１５２は、取得部１５１により取得されたレンズ情報、位相差信号などに基づいて、撮像素子１０２により取得される被写体像の所定の領域に対応する検波領域（検波エリア）を検波するように構成される。
【００４３】
検波制御部１５３は、検波領域に基づく検波を制御する。すなわち検波制御部１５３は、検波部１５２により実行される検波領域の検波処理を制御する。典型的には、被写体像の所定の複数の領域に各々対応するように、複数の検波領域が設定される。各検波領域は、表示部１０８の画面上に、所定の形態の検波領域表示として表示される。
【００４４】
検波領域表示は、典型的には、表示部１０８の画面上の複数個所に表示される。個々の検波領域は、複数の位相差検出画素を含み、検波領域表示は、ＡＦのための測距枠、ＡＥのための表示枠として画面上に表示される。複数の検波領域表示は、画面上に格子状に表示されてもよいし、任意の位置に離散して表示されてもよい。
【００４５】
検波部１５２は、あらかじめ設定された又はユーザにより選択された所定の検波領域について検波処理を実行する。検波制御部１５３は、検波部１５２に、検波領域に対応する被写体像の領域の合焦位置を検出させる。すなわち検波部１５２は、検波領域における位相差信号に基づいて、撮像素子１０２により得られた焦点位置と撮影レンズ１０１Ａにおける最良像面位置との差を算出し、光軸方向への撮影レンズ１０１Ａの移動量を決定する。検波部１５２は、撮影レンズ１０１Ａを駆動するためのＡＦ制御信号を光学撮像系１０１へ出力し、被写体像の合焦制御を実行する。
【００４６】
本実施形態においては、位相差検出画素からの位相差信号を用いて画像のオートフォーカス制御を実行するように検波部１５２が構成されているため、高速なオートフォーカス制御を実現することができる。また、検波部１５２は、画像補正部１５４による歪曲収差補正前の画像についてオートフォーカス制御を実行するように構成される。これにより、補正された被写体像に基づいて検波制御を実行する場合と比較して、検波に必要な計算負荷を低減できるとともに、検波処理に要する時間を短くすることができる。
【００４７】
画像補正部１５４は、取得部１５１によって取得されたレンズ情報（歪情報）に基づいて、表示部１０８の画面に表示される被写体像の歪曲収差を補正するように構成される。
【００４８】
撮影レンズ１０１Ａに収差があると、撮影レンズ１０１Ａを介して結像される被写体像には光学歪が発生する。撮像素子１０２は、光学撮像系１０１が結像する被写体像をそのまま画像信号に変換するため、画像信号も被写体像が有する光学歪の影響を受ける。代表的な光学歪には、例えば、図３Ａに示すような「たる型歪」、図３Ｂに示すような「糸巻き型歪」といった歪曲収差が含まれる。図３Ａ，Ｂにおいて、二点鎖線で示した範囲の被写体の像が、歪曲収差により実線の形状に結像された様子を示している。
【００４９】
画像補正部１５４は、撮影レンズに関するレンズ情報に基づいて、画面に表示される被写体像を補正するように構成される。すなわち画像補正部１５４は、取得されたレンズ情報から撮影レンズ１０１Ａの歪曲収差の量を判定し、撮像素子１０２により取得された被写体像を収差のない画像に補正する。制御部１０６は、画像補正部１５４により補正された被写体像を表示部１０８の画面に表示させるための画像信号を生成する。
【００５０】
被写体像の歪曲収差は、例えば、被写体像をデジタルデータ化し、歪曲収差量に応じて画素データを再配置することで、補正することが可能である。例えば、たる型歪が生じた画像を補正する場合には、図４に示すように、Ａ〜Ｄ点の画素としてａ〜ｄ点の画素をそれぞれ読み出す。これにより、歪を補正した画像を生成することができることになる。このとき、補間処理、間引き処理等によって画素数の調整を行うようにしてもよい。
【００５１】
なお制御部１０６は、ユーザの選択により、撮像素子１０２で取得された被写体画像を上記収差補正せずにそのまま表示部１０８の画面に表示させる制御信号を生成するように構成されてもよい。
【００５２】
表示制御部１５５は、検波領域及びレンズ情報に基づいて、検波領域を示す検波領域表示を画面上の所定の位置に表示させる。すなわち表示制御部１５５は、表示部１０８の画面に、検波領域表示として、ＡＦ枠（検波枠）を表示させる。図５にＡＦ枠の表示例を示す。表示部１０８の画面１０８Ａには、画像補正部１５４によって歪補正された被写体像Ｖが表示される。ＡＦ枠１２０は、被写体像に重畳して表示される。すべてのＡＦ枠１２０が表示されてもよいし、合焦したＡＦ枠のみが表示されてもよい。前者の場合、合焦したＡＦ枠が合焦していないＡＦ枠とは異なる形態で表示されてもよい。
【００５３】
図示の例では、ＡＦ枠１２０は、縦に７個、横に８個のＡＦ枠が格子状に配列された例を示すが、ＡＦ枠の数および位置は上述の例に限られない。また、ＡＦ枠１２０は、相互に隣接して表示される場合に限られず、相互に離間して表示されてもよい。
【００５４】
検波部１５２は、所定のＡＦ枠１２０について被写体像のオートフォーカス制御を実行する。所定のＡＦ枠１２０は、すべてのＡＦ枠１２０であってもよいし、ユーザにより指定された単数または複数のＡＦ枠であってもよい。
【００５５】
典型的には、検波部１５２は、歪補正前の被写体像に基づいてＡＦ枠の測距制御を実行する。そのため、検波領域は、歪補正前の被写体像に基づいて設定される。一方、画面１０８Ａには、歪補正された被写体像が表示されるため、歪補正前の被写体像に基づいて設定されたＡＦ枠をそのまま画面１０８Ａに表示すると、画面１０８Ａ上の被写体像ＶとＡＦ枠１２０との相対位置にずれが生じてしまう。そうなると、ユーザが意図する適正なＡＦ制御を実現することができない場合がある。
【００５６】
そこで本実施形態では、表示制御部１５５は、取得部１５１によって取得されたレンズ情報に基づいて、表示部１０８の画面に表示される検波領域の表示位置を補正するように構成される。これにより、画面１０８Ａ上の被写体像ＶにＡＦ枠１２０を対応させて表示することが可能となるため、ユーザの意図する合焦制御を実現することができる。
【００５７】
表示制御部１５５は、撮影レンズ１０１Ａのレンズ情報に基づいて、画面１０８Ａ上におけるＡＦ枠１２０（検波領域表示）の表示位置の補正の要否を判定する。すなわち、撮影レンズ１０１Ａの歪曲収差量に応じてＡＦ枠１２０の表示位置を補正する必要があるか否かを判定し、補正が必要なときのみ表示位置を補正するように構成することで、表示処理の効率化を図ることができる。歪曲収差量は、撮影レンズ１０１Ａのレンズ情報に基づいて判定されるが、画像補正部１５４による補正量に基づいて判定されてもよい。
【００５８】
グラフィックＩ／Ｆ１０７は、制御部１０６から供給された画像信号から、表示部１０８に表示させるための画像信号を生成して、この信号を表示部１０８に供給することにより画像を表示させる。
【００５９】
表示部１０８は、画像補正部１５４により歪曲収差補正された被写体像、表示制御部１５５により表示位置が補正された検波領域などを表示する画面を有する。表示部１０８は、例えば、ＬＣＤ（Liquid Crystal Display）、有機ＥＬ（Electro Luminescence）パネルなどにより構成される。表示部１０８は、画面上へのタッチ入力を検出可能なタッチセンサを備えてもよい。画面には、撮像中のスルー画、記憶媒体１１１に記録された画像などが表示される。
【００６０】
入力部１０９は、例えば、電源オン／オフ切り替えのための電源ボタン、撮像画像の記録の開始を指示するためのレリーズボタン、ズーム調整用の操作子、表示部１０８と一体に構成されたタッチスクリーン（タッチパネル）などを含む。入力部１０９に対して入力がなされると、その入力に応じた制御信号が生成され、制御部１０６へ出力される。そして、制御部１０６はその制御信号に対応した演算処理や制御を行う。
【００６１】
Ｒ／Ｗ１１０は、撮像により生成された画像データなどを記録する記憶媒体１１１が接続されるインターフェースである。Ｒ／Ｗ１１０は、制御部１０６から供給されたデータを記憶媒体１１１に書き込み、また、記憶媒体１１１から読み出したデータを制御部１０６に出力する。記憶媒体１１１は、例えば、ハードディスク、カード型記憶メディア、ＵＳＢメモリなどの大容量記憶媒体で構成される。
【００６２】
［撮像装置および撮像制御装置の動作］
以下、撮像制御装置１５０の詳細について、撮像装置１００の動作と併せて説明する。
【００６３】
図６は、撮像制御装置１５０の一動作例を説明するフローチャートである。ここでは、被写体像の特定エリアを撮像制御装置１５０が自動で合焦制御する場合を例に挙げて説明する。
【００６４】
撮像装置１００の静止画撮影モードにおいて、光学撮像系１０１で結像された被写体像が撮像素子１０２で取得され、そのフレーミング画像が画面１０８Ａに表示される。
【００６５】
ユーザによるシャッタボタン（レリーズボタン）の半押し（Ｓ１）を検出すると、取得部１５１は、撮影レンズ１０１Ａのレンズ情報と位相差信号とを取得する（ステップ１０１，１０２）。レンズ情報は、光学撮像系１０１から直接取得されてもよいし、あらかじめ取得したレンズ情報を格納したメモリから読み出されてもよい。位相差信号は、撮像素子１０２の位相差検出画素Ｐ１，Ｐ２から取得される。
【００６６】
検波制御部１５３は、検波部１５２に、すべてのＡＦ枠（検波領域）１２０について測距制御を実行させ、主被写体を判定する（ステップ１０３，１０４）。主被写体には、例えば、撮影レンズ１０１Ａに最も近い被写体や、中央に位置する被写体などが選ばれる。検波部１５２は、判定した主被写体の合焦制御を行うべく、撮影レンズ１０１Ａを駆動する（ステップ１０５）。
【００６７】
画像補正部１５４は、取得部１５１において取得されたレンズ情報に基づいて被写体像の歪補正を実行し、歪曲収差のない被写体像を画面１０８Ａに表示させる。一方、表示制御部１５５は、レンズ情報に基づいて、ＡＦ枠１２０の表示位置を補正する必要があるか否かを判定する（ステップ１０６）。
【００６８】
典型的には、合焦したＡＦ枠１２０を表示するに際して、画像の歪補正によって表示位置が所定以上に変動する場合は、当該変動量に応じてＡＦ枠１２０の表示位置を補正し、当該変動量が所定より小さい場合はＡＦ枠１２０の位置を補正することなくそのまま表示させる（ステップ１０７，１０８）。
【００６９】
図７Ａは、歪曲補正前にＡＦ枠１２４，１２５に属していた画像が、歪曲収差補正により、ＡＦ枠１２１，１２２内に移動した様子を示している。検波部１５２は、歪曲収差補正前の画像Ｖ０の合焦制御のためにＡＦ枠１２４，１２５内の位相差信号を検波する。画像補正部１５４は、画像Ｖ０の代わりに、歪曲収差補正した画像Ｖ１を画面１０８Ａに表示させる。表示制御部１５５は、画像Ｖ０が属するＡＦ枠１２４，１２５に対応する被写体像の領域に対する合焦制御の完了後、図７Ｂに示すように、画像Ｖ１が属するＡＦ枠１２１，１２２を画面１０８Ａに点灯表示させる。
【００７０】
以上のように、本実施形態によれば、画面１０８Ａに対する合焦表示の位置ずれが防止されるため、合焦位置の適正表示が可能となる。これにより、ユーザの意図する適正な合焦制御が実現可能となる。
【００７１】
図８は、撮像制御装置１５０の他の動作例を説明するフローチャートである。ここでは、ユーザが指定した被写体像の特定エリアを合焦制御する場合を例に挙げて説明する。
【００７２】
上述の動作例と同様に、ユーザによるシャッタボタン（レリーズボタン）の半押し（Ｓ１）が検出されると、取得部１５１において、撮影レンズ１０１Ａのレンズ情報と位相差信号とが取得される（ステップ２０１，２０２）。
【００７３】
次に、画像補正部１５４は、取得部１５１において取得されたレンズ情報に基づいて被写体像の歪補正を実行し、歪曲収差のない被写体像を画面１０８Ａに表示させる。一方、表示制御部１５５は、ユーザにより指定される特定の合焦枠（検波領域）の入力を受け付ける。
【００７４】
上記合焦枠は、図５に示したように画面１０８Ａ上に表示された複数のＡＦ枠１２０の中のいずれか１つまたは２つ以上のエリアであってもよいし、画面１０８Ａ上の任意の１つ又は２つ以上のエリアであってもよい。後者の場合、ＡＦ枠１２０そのものは画面１０８Ａ上に表示させる必要はなく、ユーザによる指定位置に対応する合焦枠を判定すればよい。
【００７５】
なお、上記合焦枠の指定は、画面１０８Ａに対するタッチ入力であってもよいし、所定の操作ボタンを介した選択入力操作（例えばカーソル操作）であってもよい。合焦枠の指定が画面１０８Ａに対するタッチ入力で行われる場合、タッチセンサは、複数の合焦枠のうちいずれの合焦枠が選択操作されたかを検出し、その検出結果を制御部１０６へ出力する。選択操作される合焦枠は、１つに限られず、複数であってもよい。
【００７６】
検波制御部１５３は、ユーザにより指定された合焦枠を確認した後（ステップ２０３）、レンズ情報に基づいて、指定された合焦枠を補正する必要があるか否かを判定する（ステップ２０４）。
【００７７】
典型的には、指定された合焦枠を特定するに際して、画像の歪補正によって位置が所定以上に変動する場合は、検波制御部１５３は、当該変動量に応じて合焦枠の位置を補正し、当該変動量が所定より小さい場合は合焦枠の位置を補正することなくそのまま指定された位置の合焦枠を採用する（ステップ２０５，２０６）。
【００７８】
次に、検波制御部１５３は、検波部１５２に、指定された合焦枠について測距制御を実行させ、当該合焦枠内の画像を合焦制御するべく、撮影レンズ１０１Ａを駆動する（ステップ２０７，２０８）。合焦制御の完了後は、画面１０８Ａ上に当該合焦枠が点灯表示される（ステップ２０９）。この場合、ステップ２０４の判定結果に応じて合焦枠の表示位置が決定される。
【００７９】
図９は、合焦枠の表示位置と検波領域との関係を説明する模式図である。
【００８０】
本動作例においては、検波領域（合焦枠）はユーザの指定により選択される。上述のように被写体像の検波制御は歪曲収差補正前の画像Ｖ０に対して行われ、画面１０８Ａには歪曲収差補正後の画像Ｖ１が表示される。そこで図８において、例えば、画面１０８Ａ上の合焦枠１２２がユーザにより指定されたときは、検波部１５２は、歪曲収差前の画像Ｖ０が位置する合焦枠１２５が指定されたとみなして検波制御を実行し、表示制御部１５５は、合焦完了後は、歪曲収差補正後の画像Ｖ１の表示位置に対応する合焦枠１２２を点灯表示させる。
【００８１】
以上のように、本動作例においても、画面１０８Ａに対する合焦表示の位置ずれが防止されるため、合焦位置の適正表示が可能となる。これにより、ユーザの意図する適正な合焦制御が実現可能となる。
【００８２】
以上、本技術の実施形態について説明したが、本技術は上述の実施形態にのみ限定されるものではなく、本技術の要旨を逸脱しない範囲内において種々変更を加え得ることは勿論である。
【００８３】
例えば以上の実施形態では、被写体像のオートフォーカス制御（ＡＦ制御）を例に挙げて説明したが、これに代えて又はこれに加えて、自動露出制御（ＡＥ制御）にも本技術は適用可能である。この場合、検波制御部１５３は、検波部１５２に、検波領域に対応する被写体像の領域の合焦位置及び露光量の少なくとも１つを検出させる。
【００８４】
また以上の実施形態では、位相差検出用の位相差検出画素Ｐ１，Ｐ２が撮像素子１０２に組み込まれた例を説明したが、位相差検出のための専用の撮像素子を別途用いて被写体像のＡＦ制御を実行するように構成されてもよい。また、像面位相差検出方式に限定されず、いわゆるコントラスト法によるＡＦ制御技術が採用されてもよい。
【００８５】
なお、本技術は以下のような構成もとることができる。
（１）撮像素子により取得される被写体像の所定の領域に対応する検波領域に基づく検波を制御する検波制御部と、
撮影レンズに関するレンズ情報に基づいて、画面に表示される前記被写体像を補正する画像補正部と、
前記検波領域及び前記レンズ情報に基づいて、前記検波領域を示す検波領域表示を前記画面上の所定の位置に表示させる表示制御部と
を具備する撮像制御装置。
（２）上記（１）に記載の撮像制御装置であって、
前記表示制御部は、前記レンズ情報に基づいて、前記検波領域表示の表示位置の補正の要否を判定する
撮像制御装置。
（３）上記（１）又は（２）に記載の撮像制御装置であって、
前記表示制御部は、前記検波領域に対応する前記被写体像の領域に合焦したときに、前記画面に前記検波領域表示を表示させる
撮像制御装置。
（４）上記（１）〜（３）のいずれか１つに記載の撮像制御装置であって、
前記検波領域は、複数の検波領域を含み、
前記検波制御部は、前記複数の検波領域の中から選択された検波領域に基づく検波を制御する
撮像制御装置。
（５）上記（４）に記載の撮像制御装置であって、
前記検波制御部は、前記レンズ情報に基づいて、選択された検波領域の補正の要否を判定する
撮像制御装置。
（６）上記（１）〜（５）のいずれか１つに記載の撮像制御装置であって、
前記レンズ情報は、前記撮影レンズの歪情報を含み、
前記画像補正部は、前記歪情報に基づいて、前記被写体像の歪曲収差を補正する
撮像制御装置。
（７）上記（１）〜（６）のいずれか１つに記載の撮像制御装置であって、
前記レンズ情報は、前記撮影レンズから取得される
撮像制御装置。
（８）上記（１）〜（７）のいずれか１つに記載の撮像制御装置であって、
前記検波制御部は、前記検波領域に対応する前記被写体像の領域の合焦位置を検出させる
撮像制御装置。
（９）上記（１）〜（８）のいずれか１つに記載の撮像制御装置であって、
前記検波制御部は、前記検波領域に対応する前記被写体像の領域の露光量を検出させる
撮像制御装置。
（１０）上記（１）〜（９）のいずれか１つに記載の撮像制御装置であって、
前記レンズ情報を取得する取得部をさらに具備する
撮像制御装置。
（１１）上記（１）〜（１０）のいずれか１つに記載の撮像制御装置であって、
前記検波制御部により制御され、前記検波領域に基づく検波処理を実行する検波部をさらに具備する
撮像制御装置。
（１２）撮影レンズを有する撮影光学系と、
撮影光学系により結像された被写体像を取得する撮像素子と、
前記撮像素子により取得される被写体像の所定の領域に対応する検波領域に基づいて検波を制御させる検波制御部と、
前記撮影レンズに関するレンズ情報に基づいて、前記撮像素子により取得された被写体像を補正する画像補正部と、
前記画像補正部により補正された被写体像と、前記検波領域を示す検波領域表示とを表示する画面を有する表示部と、
前記検波領域及び前記レンズ情報に基づいて、前記検波領域表示を前記画面上の所定の位置に表示させる表示制御部と
を具備する撮像装置。
（１３）上記（１２）に記載の撮像装置であって、
前記撮像素子は、前記撮影レンズの瞳分割を行う複数の位相差検出画素を有する
撮像装置。
（１４）上記（１２）又は（１３）に記載の撮像装置であって、
前記検波領域は、複数の検波領域を含み、
前記表示部は、前記複数の検波領域を示す複数の検波領域表示のうちいずれかの検波領域表示に対する選択操作を検出するタッチセンサをさらに有する
撮像装置。
（１５）撮像素子により取得される被写体像の所定の領域に対応する検波領域に基づいて検波を制御し、
撮影レンズに関するレンズ情報に基づいて、画面に表示される前記被写体像を補正し、
前記検波領域及び前記レンズ情報に基づいて、前記検波領域を示す検波領域表示を前記画面上の所定の位置に表示させる
撮像制御方法。
【符号の説明】
【００８６】
１００…撮像装置
１０１…光学撮像系
１０１Ａ…撮影レンズ
１０２…撮像素子
１０６…制御部
１０８…表示部
１０８Ａ…画面
１５０…撮像制御装置
１５１…取得部
１５２…検波部
１５３…検波制御部
１５４…画像補正部
１５５…表示制御部
【図１】
0006547742.tif 000002
【図２】
0006547742.tif 000003
【図３】
0006547742.tif 000004
【図４】
0006547742.tif 000005
【図５】
0006547742.tif 000006
【図６】
0006547742.tif 000007
【図７】
0006547742.tif 000008
【図８】
0006547742.tif 000009
【図９】
0006547742.tif 000010